(57)【要約】【課題】  電柱番号に経路情報を関連付けて効率的に登録し、その経路情報を参照して、迅速に目的地へ到達可能にすること。【解決手段】  電柱の位置情報を記憶する地図情報システム１において、電柱識別情報ごとに電柱の属性情報を登録する設備情報登録手段１２３と、位置情報の取得対象の電柱情報を送信する設備情報送信手段１２４と、当該電柱に対する各ポイント情報を登録すると共に、該ポイントを互いに関連付けて保持することにより経路情報を作成し、さらに電柱の位置情報を受信して前記経路情報と共に前記電柱識別情報と関連付けて登録する位置情報登録手段１２５と、経路検索対象の電柱情報を取得し、前記経路情報に基づいて電柱位置および電柱に関連付けられたポイント位置を抽出して地図上に夫々の位置情報を配置して出力する経路検索手段１２６とを備える。【選択図】      図１
2005274463.tif 000002
【特許請求の範囲】
【請求項１】
電柱の位置情報を記憶する地図情報システムであって、
電柱識別情報ごとに電柱の属性情報を登録する設備情報登録手段と、
位置情報の取得対象の電柱情報を送信する設備情報送信手段と、
当該電柱に対する各ポイント情報を登録すると共に、該ポイントを関連付けて保持することにより経路情報を作成し、さらに電柱の位置情報を受信して前記経路情報と共に前記電柱識別情報と関連付けて登録する位置情報登録手段と、
経路検索対象の電柱情報を取得し、前記経路情報に基づいて電柱位置および電柱に関連付けられたポイント位置を抽出して地図上に夫々の位置情報を配置して出力する経路検索手段と、
を備えたことを特徴とする地図情報システム。
【請求項２】
前記位置情報登録手段は、各ポイント間およびポイントと電柱との間の所要時間を保存し、前記経路検索手段は、位置情報を収集して、電柱までの所要時間を表示することを特徴とする請求項１記載の地図情報システム。
【請求項３】
前記所要時間を補正するための補正テーブルを備え、前記経路検索手段は、補正条件を入力することによって補正値を抽出し、当該補正値によって、前記所要時間を補正して出力することを特徴とする請求項２記載の地図情報システム。
【請求項４】
携帯端末と地図情報を記憶するサーバとを通信ネットワークを介して接続して電柱の位置情報の登録および検索を行う地図情報管理方法であって、
前記サーバから前記携帯端末へ位置情報の取得対象の電柱情報を送信するステップと、
前記携帯端末では、サーバから送信された前記電柱情報にかかる電柱への経路途中の任意のポイントにおいて該ポイントの属性情報を入力して、携帯端末の位置情報と共に前記サーバへ送信するステップと、
前記サーバでは、携帯端末から送られてくる前記ポイントの位置情報および属性情報を受信順に関連付けて保存し、さらにポイント情報の受信時刻をもとにポイント間の移動の所要時間を演算して保存するステップと、
電柱の検索要求があったときに、当該電柱の位置情報を表示すると共に、電柱に関連付けられたポイントの位置、属性情報および所要時間を表示するステップと、
を含むことを特徴とする電柱識別情報による地図情報管理方法。
【請求項５】
電柱情報を含む複数の作業場所を登録するステップと、
電柱間の移動情報および所要時間に基づいて作業巡回手順を作成するステップと、
前記作業場所を移動する際、前記電柱間の移動情報として表示するステップと、
を含むことを特徴とする請求項４記載の電柱識別情報による地図情報管理方法。
【発明の詳細な説明】
【技術分野】
【０００１】
本発明は、電柱番号を地図データとして管理し、電柱への経路を容易に検索可能な地図情報システムおよび電柱識別情報による地図情報管理方法に関する。
【背景技術】
【０００２】
従来の地図情報システムとしては、たとえば、移動機からの地図要求情報に対して、その移動機が位置する地域周辺の地図情報を自動車電話網を介して自動的に移動機側に送信するという技術が提案されている。（例えば、特許文献１を参照）。
【０００３】
しかしながら、一般的な地図情報では、正確な目標位置を表示することは困難である。たとえば、災害復旧応援時に、その行き先を住所で通知したのでは、現地に行って詳細な場所を特定することが必要になる。このため、通常、応援班に対しては、集合・移動場所について地図、図面等を事前に準備して打ち合わせを行った上で出動が行われている。
【０００４】
この問題を回避するため、たとえば詳細住所を全て地図データとして入力することも考えられるが膨大な労力が必要となる。
【特許文献１】特開平３−１８３２９７号公報
【発明の開示】
【発明が解決しようとする課題】
【０００５】
ところで、電柱番号などの設備情報を地図上に表示することによって、地理の分からない人でも電柱番号のみの検索で現場（目標地点）まで移行可能となることが期待できる。
【０００６】
しかしながら、単に地図データとして、電柱番号を持たせるのみでは、経路を特定することができず迅速に移動場所へ到達することができない。
【０００７】
本発明は、上述のかかる事情に鑑みてなされたものであり、電柱番号に経路情報を関連付けて効率的に登録でき、さらにその経路情報を参照して、迅速に目的地へ到達可能な地図情報システムおよび電柱識別情報による地図情報管理方法を提供することを目的としている。
【課題を解決するための手段】
【０００８】
上記目的を達成するため、本発明に係わる地図情報システムは、電柱の位置情報を記憶する地図情報システムであって、電柱識別情報ごとに電柱の属性情報を登録する設備情報登録手段と、位置情報の取得対象の電柱情報を送信する設備情報送信手段と、当該電柱に対する各ポイント情報を登録すると共に、該ポイントを互いに関連付けて保持することにより経路情報を作成し、さらに電柱の位置情報を受信して前記経路情報と共に前記電柱識別情報と関連付けて登録する位置情報登録手段と、経路検索対象の電柱情報を取得し、前記経路情報に基づいて電柱位置および電柱に関連付けられたポイント位置を抽出して地図上に夫々の位置情報を配置して出力する経路検索手段とを備えたことを特徴とする。
【０００９】
電柱に関連付けて経路情報を管理することによって、迅速に目的地に辿りつくことができる。ここで、「電柱の属性情報」とは、電柱の種類や高さなど電柱に関する情報を意味する。また、「ポイント」とは、電柱以外の場所や建物なども含む趣旨である。
【００１０】
また、前記位置情報登録手段は、各ポイント間およびポイントと電柱との間の所要時間を保存し、前記経路検索手段は、位置情報を収集して、電柱までの所要時間を表示することを特徴とする。
【００１１】
これにより、電柱を主体に経路情報を作成し、任意の地点（ポイント）と電柱とを関連付けることにより、任意のポイント間の移動経路や所要時間の管理が可能となる。
【００１２】
さらに、本発明に係わる地図情報システムは、  前記所要時間を補正するための補正テーブルを備え、前記経路検索手段は、補正条件を入力することによって補正値を抽出し、当該補正値によって、前記所要時間を補正して出力することを特徴とする。
【００１３】
天候等によって所要時間を補正することによって正確な移動時間の表示が可能となる。特に本発明は、補正データの入力のし易さのほか、移動後に入力したデータを移動前のポイントに関連付けて保存することによって、移動時の注意表示などを可能にすることを特徴としている。
【００１４】
また、本発明に係わる電柱識別情報による地図情報管理方法は、携帯端末と地図情報を記憶するサーバとを通信ネットワークを介して接続して電柱の位置情報の登録および検索を行う地図情報管理方法であって、前記サーバから前記携帯端末へ位置情報の取得対象の電柱情報を送信するステップと、前記携帯端末では、サーバから送信された前記電柱情報にかかる電柱への経路途中の任意のポイントにおいて該ポイントの属性情報を入力して、携帯端末の位置情報と共に前記サーバへ送信するステップと、前記サーバでは、携帯端末から送られてくる前記ポイントの位置情報および属性情報を受信順に関連付けて保存し、さらにポイント情報の受信時刻をもとにポイント間の移動の所要時間を演算して保存するステップと、電柱の検索要求があったときに、当該電柱の位置情報を表示すると共に、電柱に関連付けられたポイントの位置、属性情報および所要時間を表示するステップと、を含むことを特徴とする。
【００１５】
好ましくは、電柱情報を含む複数の作業場所を登録するステップと、電柱間の移動情報および所要時間に基づいて作業巡回手順を作成するステップと、前記作業場所を移動する際、前記電柱間の移動情報として表示するステップと、を含むようにするとよい。
これにより、複数の地点に移動して作業をするような場合、効率的な巡回が可能となる。
【発明の効果】
【００１６】
本発明によれば、電柱番号に経路情報を関連付けて登録するので、利用者はその経路情報を参照して、電柱を目標に移動でき、迅速かつ容易に目的地へ到達することが可能となる。
【発明を実施するための最良の形態】
【００１７】
以下、本発明の実施の形態を説明する。図１は本発明の実施の形態に係わる地図情報システム１、モバイルパソコン２、および、事業所サーバ３の機能ブロック図である。図１において、モバイルパソコン２および事業所サーバ３は通信ネットワーク４を介して地図情報システム１と繋がっている。  ここで、地図情報システム１は、電柱情報の管理、保守あるいは電柱番号による地図情報を提供する業者（以下、事業者という）により運営管理される。
【００１８】
モバイルパソコン２は、事業者の事務所により管理されるモバイルパソコンである。なお、この事務所は事業者が契約した委託会社の事務所であってもよい。事務所サーバ３は、事業者の事務所に配置されているサーバである。
【００１９】
ここで、地図情報システム１は、通信ネットワーク４を介してデータの送受信を行うための送受信部１１、送受信部１１から受け取ったデータの処理を行う中央演算処理部１２、データを記憶するための記憶部１３、および、中央演算処理部１２との間でデータの入出力を行う入力部１４と出力部１５から構成されている。
【００２０】
さらに、中央演算処理部１２は、送受信部１１との間でデータの受け渡しを行う送受信処理手段（機能）１２１、入力部１４あるいは出力部１５とデータの受け渡しを行う入出力手段（機能）１２２、入力部１４を介して設備の情報を登録する設備情報登録手段（機能）１２３、モバイルパソコンへ設備情報の登録指令を送信する設備情報送信手段（機能）１２４、送受信部１１を介して受信された位置情報や画像情報を登録する位置情報登録手段（機能）１２５、記憶部１３に保存されている位置情報を演算して、経路および所要時間を検索する経路検索手段（機能）１２６を有している。
【００２１】
また、記憶部１３は、設備に関する情報を保存する設備台帳データベース（ＤＢ）６１、位置に関する情報を保存する設備位置データベース（ＤＢ）６２、経路の検索結果を保存する経路データベース（ＤＢ）６３、地図情報に関する情報を保存する地図情報データベース（ＤＢ）６４、を有している。
【００２２】
一方、モバイルパソコン２は、デジタルカメラ２１、ＧＰＳ２２をから構成されている。また、事務所サーバ３は、通信ネットワーク４を介してデータの送受信を行うための送受信部３１、送受信部３１からのデータの処理を行う中央演算処理部３２、中央演算処理部３２との間でデータの入出力を行う入力部３４と出力部３５、および、設備位置データベース（ＤＢ）３６から構成されている。
【００２３】
次に、上記の構成を有する地図情報システムの動作を説明する。
【００２４】
<設備情報登録処理>
地図情報システム１において、設備台帳ＤＢ６１のデータは、入力部１４を通して入力され設備情報登録手段１２３を介して記憶部１３に登録される。
【００２５】
設備台帳ＤＢ６１の例を図２に示す。この図において電柱識別のための電柱番号とこの電柱番号に関連付けられた電柱の種類、高さなどの電柱に関する情報（属性情報）が記憶されている。
【００２６】
<位置情報収集処理>
地図情報システム１の設備情報送信手段１２４は、目的の電柱番号と共にその電柱の位置情報の収集指令を事務所に配置されているモバイルパソコン２へ送信する。この位置情報収集指令は送受信部１１より送出され通信ネットワーク４を介してモバイルパソコン２で受信される。
【００２７】
位置情報の収集指令を受けた事務所の作業員は位置情報の収集を行う。以下、位置情報の収集手順について説明する。
【００２８】
まず、作業員は目的の電柱番号をモバイルパソコン２上で設定する。次に、移動情報として移動開始位置の緯度、経度を登録する。移動開始位置として登録された緯度、経度は目的電柱の起点として登録される。
【００２９】
作業員は目的の電柱までの移動を行いながら任意の地点で位置情報の登録を行う。登録する位置情報としては位置の種別、位置の緯度、経度、画像、コメント、時刻である。また、位置の種別としては設備またはポイントがある。
【００３０】
ポイントの例としては営業所、鉄道の駅や経路の分岐点などであり任意の目標物をポイントとして登録できる。
【００３１】
図３は位置情報の登録画面である。この図において画像はモバイルパソコン２に接続されたデジタルカメラ２１より取得されており、位置情報はモバイルパソコン２に接続されたＧＰＳ２２より取得されている。
【００３２】
この図において作業員はポイントの登録か設備（電柱）の登録かを選択し、ポイントの登録の場合はポイント名を入力する。設備情報の登録の場合は電柱番号を選択する。
登録情報に対するコメントがある場合はコメントを入力し、情報登録ボタンを押すことで位置情報はモバイルパソコン２へ保存される。
【００３３】
作業員が目的の電柱まで到達し電柱の位置情報を登録することで、目的の電柱に関する位置情報の収集を終了する。
起点の位置から目的の電柱までが経路となり経路コードが付され電柱（起点位置）から電柱（終点位置）までの距離、所要時間、この経路に関する地図情報は経路情報としてモバイルパソコン２へ記憶される。
【００３４】
ここで、作業員は目的電柱を設定することで次の電柱に関する位置情報の収集を続行するようにしてもよい。
【００３５】
<位置情報登録処理>
電柱までの登録が終了するとモバイルパソコン２に登録された位置情報は事務所サーバ３の入力部３４から入力され設備位置ＤＢ３６へ保存される。
【００３６】
この位置情報は電柱番号ごとに管理されており経路情報と、事務所サーバ３の設備位置ＤＢ３６へ転送された位置情報および経路情報はモバイルパソコン２から消去される。事務所サーバ３の設備位置ＤＢ３６に保存された位置情報および経路情報は一定期間保存された後、送受信部３１から地図情報システム１へ送信される。
【００３７】
事務所サーバ３の送受信部３１から送信され、地図情報システム１の送受信部１１で受信された位置情報は位置情報登録手段１２５により位置ＤＢ６２へ保存される。
このとき、登録された緯度および経度は地図情報ＤＢ６４に登録される。
【００３８】
図４は設備位置ＤＢの構成を示す図である。この図において、位置情報に関する情報を識別する位置番号とその位置に存在する電柱の電柱番号、位置番号に関連付けられた名称、緯度、経度、住所、画像、位置情報に関するコメント、位置情報を記録した時刻が記憶されている。
【００３９】
図５は経路テーブルのデータ構成例である。この図において経路コード（識別番号）とこれに関連付けられた位置情報（経路の起点）、位置情報（経路の終点）、起点位置と終点位置を結んだ距離、経路に要する所要時間、位置間の移動方法（移動手段）、この経路に関する地図コードなどの情報が記憶されている。
【００４０】
また、図６は地図情報ＤＢのデータ構成例である。地図コード（識別番号）とこれに関連付けられた地図情報が保存されている。
【００４１】
次に、図１１を用いて地図情報システムの位置情報登録時のデータの流れを詳述する。まず、地図情報システム１の設備位置ＤＢに登録された設備（電柱）のうち位置情報を登録する設備の設備情報（位置番号、電柱番号、名称、住所など）を位置情報収集指令として事務所に配置されているモバイルパソコン２へ送信する（Ｓ２０１）。そして、事務所に配置されているモバイルパソコン２は受信した位置情報収集指令により作業員は設備がある現場へ移動し（Ｓ２０２）、設備の画像、コメント、緯度、経度情報など設備位置の登録を行う（Ｓ２０３）。現場においてモバイルパソコンへ設備位置の情報登録が終了すると作業員はモバイルパソコン２を事務所へ持ち帰り、ＬＡＮ（構内ネットワーク）などを介して事務所サーバ３へ接続する（Ｓ２０４）。
【００４２】
モバイルパソコン２が事務所サーバ３へ接続されるとモバイルパソコンに記憶されている位置情報を収集した設備情報は事務所サーバ３へ転送され、事務所サーバ３の設備位置ＤＢ３６へ記憶される。事務所サーバ３へ転送された設備情報の位置情報はモバイルパソコン２の記憶部から削除される（Ｓ２０５）。一方、事務所サーバ３へ転送された設備に関する位置情報は一定期間蓄えられた後（Ｓ２０７）、ＭＯやＣＤ−ＲＯＭなどの着脱可能な記録媒体へ出力される（Ｓ２１０）。また、記録媒体へ出力された位置情報は事務所サーバ３の記憶部から消去される（Ｓ２０８）。そして、設備位置が記憶された記録媒体は地図情報システム側へ送付される（Ｓ２１１）。地図情報システム側では、この記録媒体のデータを位置情報登録手段１２５により設備位置ＤＢへ登録される（Ｓ２１２）。
【００４３】
上記の処理において、位置情報の収集指令は比較的少量のデータの送信で済むため、ステップＳ２０１ではネットワークを使用して直接モバイルパソコン２へ送信し、収集済みの位置情報の受け取りには画像データなど膨大なデータの受信を行わなければならないためステップＳ２１１では記録媒体を使用するようにしたが、ステップＳ２１１は、記録媒体の送付に替えて、事務所サーバ３から通信ネットワーク４を介して地図情報システム１へ収集した位置情報をバッチ処理で送信するようにしてもよい。
【００４４】
<経路検索処理>
作業員は電柱の保守管理等のため、目的電柱までの経路の検索要求をモバイルパソコン２の図７に例示する経路検索画面から入力する。
【００４５】
図７は経路検索を行う前の経路検索画面である。この図において現在の天候、現在位置の位置情報、目的電柱の位置情報そして現在位置から目的電柱までの経路情報が表示されている。現在位置および目的電柱それぞれについて位置情報として設備名称、緯度、経度、住所が表示されている。
【００４６】
作業員は経路検索のためモバイルパソコン２へその日の天候、目的電柱などの情報を入力し経路の検索要求を行う。経路検索が行われるとモバイルパソコン２に接続されたＧＰＳ２２より作業員の現在地の緯度および経度の位置情報が収集される。
【００４７】
そして、モバイルパソコン２から、天候、目的電柱、現在地の緯度、経度などの情報は経路の検索要求として通信ネットワーク４を介し地図情報システム１へ送信される。
地図情報システム１では、送受信部１１、送受信処理手段１２１で受信処理され、経路検索手段１２６により経路の検索が行われる。
【００４８】
次に、図８を用いて経路検索手段１２６の動作を詳述する。
まず、作業員の現在位置の緯度、経度、目的の電柱番号、天候情報を含む検索要求を受信する（Ｓ１０１）。そして、受信した現在位置の緯度、経度をもとに設備位置ＤＢ６２から一番近い電柱の位置番号を抽出する（Ｓ１０２）。次に目的電柱の電柱番号または住所をもとに設備位置ＤＢから一番近い電柱の位置番号を抽出する（Ｓ１０３）。現在地から一番近い電柱の位置番号と目的地の電柱の位置番号をもとに経路コード、所要時間、距離、移動手段、地図情報を経路情報テーブルより抽出する（Ｓ１０４）。次に、受信した天候情報をもとに所要時間補正テーブルを参照し抽出した所要時間を補正する（Ｓ１０５）。そして、ステップＳ１０４で抽出した経路コード、距離、移動手段、地図情報とステップＳ１０５で補正した所要時間をモバイルパソコン２へ送信する（Ｓ１０６）。
【００４９】
図９は上記のステップＳ１０５において参照される所要時間補正テーブルである。ステップＳ１０４で抽出された所要時間に対しモバイルパソコン２より送信された天候および移動手段等の情報により補正される。
【００５０】
この図において、たとえば、天候が雨または雪で移動手段に鉄道を使用した場合は「晴れ」の日にくらべ５パーセント所要時間が増加することを意味している。経路検索実行時の天候と検索経路の移動手段の組み合わせで所要時間を補正するものである。
【００５１】
地図情報システム１の送受信部１１から送信された経路の検索結果はモバイルパソコン２で受信され現在地から目的電柱までの作業員へ表示される。
【００５２】
図１０は経路検索後の経路検索画面である。この図において、現在地の位置情報、目的地の位置情報が表示されており、現在地から目的地（電柱）までの移動手段、所要時間、距離、地図情報、経路上の位置に関するコメントなどの情報が表示される。
【００５３】
また、現在地の位置情報として現在地に設備名称が存在すればその設備名称、緯度、経度、住所が表示されており、目的地の位置情報として目的地の電柱番号、緯度、経度、住所が表示されている。そして現在地から目的地（電柱１）までの地図情報、位置間の移動手段および所要時間として現在地から位置１までは徒歩で移動し所要時間１５分間、位置１から位置４までは鉄道  ○○線で移動し所要時間５０分間、位置４から目的地までは徒歩で移動し所要時間３５分間で全体の距離として２５．７ｋｍあり、全所要時間１時間４０分かかるという情報が表示されている。
【００５４】
この経路情報により作業員は目的地の電柱までの経路を知ることができ、目的電柱まで到達可能となる。さらに、災害復旧応援時などにおいては、この目的電柱から災害場所までの経路を入力しておき、それを応援員のモバイルパソコンに表示するようにすれば、応援員は、迅速、確実に災害場所へ到達することができる。
【００５５】
なお、経路検索時に目的地の電柱番号を入力することに替えて、目的地の住所を入力して経路検索を行うようにしてもよい。
【００５６】
本実施の形態によれば、電柱および任意の位置の距離や所要時間や設備の位置を登録し地図情報と関連付けることにより電柱番号を指定するだけで任意の地点から目標地点までの経路情報を入手することができる。
【００５７】
次に第２の実施の形態を説明する。図１２は本発明の第２の実施の形態による地図情報システム１及びこのシステムと通信を行う携帯端末５の機能ブロック図である。
【００５８】
図１２において、地図情報システム１は、通信ネットワーク（無線回線）４を介して携帯端末５と繋がっている。その他については、図１と同様であるので、同一要素には同一符号を付けて説明を省略する。
【００５９】
次に、第１の実施の形態との違いを中心に本実施の形態における地図情報システム１の動作の詳細を説明する。上述の設備情報登録処理の動作については同一であるので説明を省略する。
【００６０】
本実施形態では、位置情報収集処理において、地図情報システム１から電柱の位置情報の収集指令を事務所に配置されている携帯端末５へ送信する。作業員は携帯端末５を用いて位置情報の収集を行う。第１の実施形態では収集された位置情報は事務所サーバ３経由で地図情報システム１へ位置情報の登録を行うこととしたが、本実施の形態では位置情報入力の都度、携帯端末５から直接、地図情報システム１へ位置情報の登録を行うようにするものである。なお、位置情報の収集においては、移動後に入力したデータは、移動前のポイントとも関連付けられ、移動前の位置情報表示の際に当該データも表示されるようになっている。
【００６１】
また、経路検索処理において、経路検索問い合わせ情報は携帯端末５から入力され地図情報システム１へ送信される。携帯端末５から送信された経路検索問い合わせ情報に基づき、地図情報システム１の経路検索手段が起動され経路の検索が行われる。なお、位置情報を登録する携帯端末と経路検索の問合せを行う携帯端末は通常異なるものであるが、同じであってもよい。問合せのあった経路の検索結果は地図情報システム１から携帯端末５へ送信され、携帯端末５の画面に表示される。これにより作業員は目的地までの経路情報を知ることができる。
【００６２】
本実施の形態によれば、位置情報入力の都度、無線回線を介して地図情報システム１へデータを送信するので、通信ネットワークに一度大きな負荷をかけることを避けることができる。また、事務所サーバ経由でデータを送る必要がなくなるので、位置情報の収集を迅速に行うことができ、設備の削減を図ることができる。
【図面の簡単な説明】
【００６３】
【図１】本発明の第１の実施の形態に係る地図情報システム１、及びこのシステムと通信を行うモバイルパソコン２、および、事務所サーバ３の機能ブロック図である。
【図２】図１の設備台帳ＤＢ６１のデータ構成図である。
【図３】本発明の第１の実施の形態における位置情報登録画面の画面図である。
【図４】図１の設備位置ＤＢ６２のデータ構成図である。
【図５】図１の経路情報テーブルのデータ構成図である。
【図６】図１の地図情報ＤＢ６３のデータ構成図である。
【図７】本発明の第１の実施の形態に係る経路検索画面（検索前）の画面図である。
【図８】本発明の第１の実施の形態における経路検索手段の処理手順を示すフローチャートである。
【図９】所要時間補正テーブルのデータ構成例である。
【図１０】本発明の第１の実施の形態に係る経路検索画面（検索後）の画面図である。
【図１１】本発明の第１の実施の形態に係る地図情報システムの位置情報登録時のデータの流れを説明する図である。
【図１２】本発明の第２の実施の形態に係る地図情報システム１、及びこのシステムと通信を行う携帯端末５の機能ブロック図である。
【符号の説明】
【００６４】
１  地図情報システム
２  モバイルパソコン
３  事務所サーバ
４  通信ネットワーク
５  携帯端末
１１、３１  送受信部
１２、３２  中央演算処理部
１３  記憶部
１４、３４  入力部
１５、３５  出力部
２１  デジタルカメラ
２２  ＧＰＳ（Global Positioning System）
３６、６２  設備位置データベース（ＤＢ）
６１  設備台帳データベース（ＤＢ）
６３  地図情報データベース（ＤＢ）
１２１  送受信処理手段
１２２  入出力手段
１２３  設備情報登録手段
１２４  設備情報送信手段 
１２５  位置情報登録手段
１２６  経路検索手段
【図１】
2005274463.tif 000003
【図２】
2005274463.tif 000004
【図３】
2005274463.tif 000005
【図４】
2005274463.tif 000006
【図５】
2005274463.tif 000007
【図６】
2005274463.tif 000008
【図７】
2005274463.tif 000009
【図８】
2005274463.tif 000010
【図９】
2005274463.tif 000011
【図１０】
2005274463.tif 000012
【図１１】
2005274463.tif 000013
【図１２】
2005274463.tif 000014